(57)【要約】【課題】シート等の第１媒体よりも幅狭のカード等の第２媒体が導入される導入口に容易にカード等の第２媒体を導入できる、画像読取装置および搬送装置を提供する。【解決手段】トレイ２０は、筐体２に対して開いた開位置と閉じた閉位置との間で回動可能に設けられている。トレイ２０には、シートＳＨが載置される。そして、シャッタ４は、トレイ２０が開位置に位置するときに、規制位置に位置して、カード導入口１２１へのカードＣＡの導入を規制し、トレイ２０が閉位置に位置するときに、許容位置に位置して、カード導入口１２１へのカードＣＡの導入を許容する。これにより、カードＣＡがカード導入口１２１に導入されるときには、トレイ２０が閉位置に配置される。【選択図】図４Ａ
2014072669.tif 000002
【特許請求の範囲】
【請求項１】
第１媒体が導入されるように構成される第１導入口と、前記第１導入口から導入される前記第１媒体が搬送されるように構成される第１搬送路と、前記第１媒体よりも幅狭の第２媒体が導入されるように構成される第２導入口と、前記第２導入口から導入される前記第２媒体が搬送されるように構成される第２搬送路と、が形成された筐体と、
前記筐体に対して開いた開位置と閉じた閉位置との間で回動可能に設けられ、第１媒体が載置されるように構成されるトレイと、
前記トレイが前記開位置に位置するときに、規制位置に位置して、前記第２導入口への前記第２媒体の導入を規制し、前記トレイが前記閉位置に位置するときに、許容位置に位置して、前記第２導入口への前記第２媒体の導入を許容するように構成されるシャッタと、
前記第１搬送路を搬送される前記第１媒体および前記第２搬送路を搬送される前記第２媒体の画像を読み取るように構成される読取部と、を備える、画像読取装置。
【請求項２】
前記シャッタを前記許容位置から前記規制位置に向けて付勢するように構成される付勢部材を備える、請求項１に記載の画像読取装置。
【請求項３】
前記シャッタは、少なくとも前記トレイが前記閉位置に位置するときに、前記トレイと当接する当接部を備える、請求項２に記載の画像読取装置。
【請求項４】
前記シャッタは、前記トレイが前記開位置から前記閉位置に回動される過程で、前記トレイによって前記当接部が押圧されて、前記付勢部材の付勢力に抗して、前記規制位置から前記許容位置に移動し、前記トレイが前記閉位置から前記開位置に回動される過程で、前記トレイが前記当接部から離間し、前記付勢部材の付勢力により、前記許容位置から前記規制位置に移動する、請求項３に記載の画像読取装置。
【請求項５】
前記トレイは、軸線方向に延びるトレイ軸部を中心に回動可能に設けられ、前記トレイ軸部から前記筐体の外部に延出するトレイ本体と、前記トレイ軸部から前記筐体の内部に延出するトレイ延出部とを備え、
前記シャッタは、前記軸線方向に延びるシャッタ軸部を中心に回動可能に前記筐体に設けられており、
前記当接部は、前記シャッタ軸部から延出し、その先端部が前記トレイ延出部の回動範囲内に配置されている、請求項４に記載の画像読取装置。
【請求項６】
前記トレイは、軸線方向に延びるトレイ軸部を中心に回動可能に設けられており、前記トレイ軸部から前記筐体の外部に延出するトレイ本体と、前記トレイ軸部から前記筐体の内部に延出するトレイ延出部とを備え、
前記トレイ延出部には、前記トレイ延出部の延出方向に長手の長孔が前記トレイ延出部を前記軸線方向に貫通して形成されており、
前記シャッタは、前記軸線方向に延びるシャッタ軸部を中心に回動可能に前記筐体に設けられ、前記シャッタ軸部から延出するシャッタ延出部と、前記シャッタ延出部から前記軸線方向に突出し、前記長孔に挿通された連結軸部とを備える、請求項１に記載の画像読取装置。
【請求項７】
第１搬送ローラと第２搬送ローラと、を備え、
前記第２搬送ローラは、前記第２媒体を前記第２搬送路において搬送方向の一方側から他方側に向けて搬送するように構成され、
前記第１搬送ローラは、前記第１媒体を前記第１搬送路において前記搬送方向の前記一方側から前記他方側に向けて搬送するように構成され、
前記筐体における前記搬送方向の前記他方側の面には、前記第１媒体が排出されるように構成される第１媒体排出口が形成され、
前記第２導入口は、前記搬送方向において前記第２搬送ローラに対し、前記筐体における前記搬送方向の前記一方側の面に形成されており、
前記トレイの回動軸線は、前記搬送方向に直交し、前記搬送方向において前記第１搬送ローラに対し、前記筐体における前記搬送方向の前記一方側に位置し、
前記筐体における前記搬送方向の前記他方側の面には、前記第２導入口から導入された前記第２媒体を排出するための筐体側排出口が形成され、
前記第１媒体排出口は、前記トレイの回動軸線の軸線方向において、前記筐体側排出口の一部と重複する、請求項１〜６のいずれか一項に記載の画像読取装置。
【請求項８】
前記トレイには、前記トレイが前記閉位置に位置する状態で前記筐体側排出口と前記搬送方向に重なり合うトレイ側排出口が形成され、
前記トレイは、前記トレイが前記閉位置に位置する状態で前記第１媒体排出口における前記筐体側排出口と重複する領域以外の領域と前記搬送方向において重なり合う、請求項７に記載の画像読取装置。
【請求項９】
前記筐体の上面に設けられ、各種の情報を表示し、各種操作を受け付けるように構成される表示操作部と、
前記トレイが前記使用位置に位置する状態において、前記表示部の表示の向きを反転させるように構成される表示制御部とを備える、請求項７または８に記載の画像読取装置。
【請求項１０】
前記筐体の上面に設けられ、各種の情報を表示する表示部と、
前記画像読取装置の向きに応じて、前記表示部の表示の向きを回転させる表示制御部とを備える、請求項１〜９のいずれか一項に記載の画像読取装置。
【請求項１１】
前記表示制御部は、前記画像読取装置が９０°回転されると、前記表示部の向きを９０°回転させる、請求項１０に記載の画像読取装置。
【請求項１２】
第１媒体が導入されるように構成される第１導入口と、前記第１導入口から導入される前記第１媒体が搬送されるように構成される第１搬送路と、前記第１媒体よりも幅狭の第２媒体が導入されるように構成される第２導入口と、前記第２導入口から導入される前記第２媒体が搬送されるように構成される第２搬送路と、が形成された筐体と、
前記筐体に対して開いた開位置と閉じた閉位置との間で回動可能に設けられ、第１媒体が載置されるように構成されるトレイと、
前記トレイが前記開位置に位置するときに、規制位置に位置して、前記第２導入口への前記第２媒体の導入を規制し、前記トレイが前記閉位置に位置するときに、許容位置に位置して、前記第２導入口への前記第２媒体の導入を許容するように構成されるシャッタと、を備える、搬送装置。
【請求項１３】
第１媒体が導入されるように構成される第１導入口と、前記第１導入口から導入される前記第１媒体が搬送されるように構成される第１搬送路と、前記第１媒体よりも幅狭の第２媒体が導入されるように構成される第２導入口と、前記第２導入口から導入される前記第２媒体が搬送されるように構成される第２搬送路と、が形成された筐体と、
軸線方向に延びるトレイ軸部を中心に回動可能に設けられ、前記トレイ軸部から前記筐体の外部に延出し、第１媒体が載置されるように構成されるトレイ本体と、前記トレイ軸部から前記筐体の内部に延出するトレイ延出部とを備え、前記筐体に対して開いた開位置と閉じた閉位置との間で回動可能に設けられるトレイと、
弾性部材と、
前記軸線方向に延びるシャッタ軸部から延出し、その先端部が前記トレイ延出部の回動範囲内に配置され、前記トレイが前記閉位置に位置するときに、前記トレイと当接する当接部と、前記シャッタ軸部から延出し、第１位置に位置する場合に、前記第２媒体の搬送方向において前記第２導入口と重なる位置に位置し、第２位置に位置する場合に、前記第２媒体の搬送方向において前記第２導入口から外れる位置に位置する変位部と、を備え、前記弾性部材により前記変位部が前記第２位置から前記第１位置に変位する方向に付勢力を受けつつ、前記軸線方向に延びるシャッタ軸部を中心に回動可能に前記筐体に設けられるシャッタと、
前記第１搬送路を搬送される前記第１媒体および前記第２搬送路を搬送される前記第２媒体の画像を読み取るように構成される読取部と、を備える、画像読取装置。
【発明の詳細な説明】
【技術分野】
【０００１】
本発明は、画像読取装置および搬送装置に関する。
【背景技術】
【０００２】
特許文献１に開示されている画像読取装置において、筐体の背面側に、シートを導入するための導入口が形成されている。一方、筐体の前面側には、シートを排出するための排出口が形成されている。そして、筐体の内部には、導入口から排出口に至る搬送路が形成されている。画像読取装置は、画像読取ユニットと搬送ローラ対とを備える。搬送ローラ対は、画像読取ユニットの導入口側および排出口側に、それぞれ設けられている。
【０００３】
導入口から導入されるシートは、搬送ローラ対により、搬送路において排出口に向けて搬送される。この搬送の途中で、画像読取ユニットにより、シートの画像が読み取られる。
【０００４】
また、特許文献１に開示されている画像読取装置は、シートよりも幅狭のカードに描かれている画像を読取可能である。具体的には、排出口の一部は、カードを導入するカード導入口およびカードを排出するカード排出口を兼ねている。また、搬送ローラ対を一方向および他方向の両方向に回転駆動するための機構が設けられている。
【０００５】
カード導入口にカードが挿入されると、搬送ローラ対がシートの搬送時とは逆方向に回転駆動されて、搬送ローラ対により、カードがカード導入口内に引き込まれる。そして、カードが画像読取ユニットを通過すると、搬送ローラ対の回転方向が反転されて、搬送ローラ対がシートの搬送時と同方向に回転駆動される。これにより、カードの搬送方向が反転され、カードがカード排出口に向けて搬送される。この搬送の途中で、画像読取ユニットにより、カードの画像が読み取られる。
【先行技術文献】
【特許文献】
【０００６】
【特許文献１】特開２０１２−１００１１５号公報
【発明の概要】
【発明が解決しようとする課題】
【０００７】
しかしながら、搬送ローラを一方向および他方向の両方向に回転駆動するための機構が設けられているため、搬送ローラの駆動系の構成が複雑である。
【０００８】
搬送ローラの駆動系の構成を簡素化するために、カードを導入するための専用のカード導入口を筐体の背面側に形成し、このカード導入口から導入されたカードを排出口の少なくとも一部と重複するカード排出口に向けて搬送する構成が考えられる。
【０００９】
ところが、シート導入口から排出口に向けてシートが前下方に搬送される構成では、シート導入口から後方に延びる給紙トレイが設けられ、カード導入口が給紙トレイの下方に位置する。そのため、カード導入口にカードを導入しにくい。
【００１０】
本発明の目的は、シート等の第１媒体よりも幅狭のカード等の第２媒体が導入される導入口に容易にカード等の第２媒体を導入できる、画像読取装置および搬送装置を提供することである。
【課題を解決するための手段】
【００１１】
前記の目的を達成するため、本発明の一の局面に係る画像読取装置は、第１媒体が導入されるように構成される第１導入口と、前記第１導入口から導入される前記第１媒体が搬送されるように構成される第１搬送路と、前記第１媒体よりも幅狭の第２媒体が導入されるように構成される第２導入口と、前記第２導入口から導入される前記第２媒体が搬送されるように構成される第２搬送路と、が形成された筐体と、前記筐体に対して開いた開位置と閉じた閉位置との間で回動可能に設けられ、第１媒体が載置されるように構成されるトレイと、前記トレイが前記開位置に位置するときに、規制位置に位置して、前記第２導入口への前記第２媒体の導入を規制し、前記トレイが前記閉位置に位置するときに、許容位置に位置して、前記第２導入口への前記第２媒体の導入を許容するように構成されるシャッタと、前記第１搬送路を搬送される前記第１媒体および前記第２搬送路を搬送される前記第２媒体の画像を読み取るように構成される読取部と、を備える。
【００１２】
トレイは、筐体に対して開いた開位置と閉じた閉位置との間で回動可能に設けられている。トレイは、第１媒体が載置されるように構成されている。
【００１３】
そして、シャッタは、トレイが開位置に位置するときに、規制位置に位置して、第２導入口への第２媒体の導入を規制し、トレイが閉位置に位置するときに、許容位置に位置して、第２導入口への第２媒体の導入を許容するように構成されている。
【００１４】
これにより、第２媒体が第２導入口に導入されるときには、トレイが閉位置に配置される。そのため、トレイが第２導入口へ第２媒体が導入されることに対する妨げになる可能性を低減できる。その結果、第２導入口に容易に第２媒体を導入することができる。
【００１５】
画像読取装置は、シャッタを許容位置から規制位置に向けて付勢するように構成される付勢部材を備えることが好ましい。
【００１６】
この場合、付勢部材がシャッタを付勢することにより、シャッタが許容位置から規制位置に移動される。そのため、第２導入口に第２媒体が導入されている状態で、トレイが閉位置から開位置に移動されても、シャッタが第２媒体に強く当接することを抑制できる。その結果、第２媒体がシャッタによって傷つけられることを抑制できる。
【００１７】
シャッタは、当接部を備えていてもよい。当接部は、少なくともトレイが閉位置に位置するときに、トレイと当接する。
【００１８】
トレイが当接部に当接することにより、付勢部材の付勢力に抗して、シャッタを規制位置から許容位置に移動させることができる。
【００１９】
具体的には、トレイが開位置から閉位置に回動される過程で、トレイによって当接部が押圧されて、付勢部材の付勢力に抗して、シャッタが規制位置から許容位置に移動することが好ましい。また、トレイが閉位置から開位置に回動される過程で、トレイが当接部から離間し、付勢部材の付勢力により、許容位置から規制位置に移動することが好ましい。
【００２０】
これにより、トレイの開位置と閉位置との間での移動に伴って、シャッタを規制位置と許容位置との間で移動させることができる。したがって、トレイ以外の部材を動かす等の動作を行うことなく、シャッタを容易に規制位置と許容位置との間で移動させることができる。
【００２１】
トレイは、軸線方向に延びるトレイ軸部を中心に回動可能に設けられ、トレイ軸部から筐体の外部に延出するトレイ本体と、トレイ軸部から筐体の内部に延出するトレイ延出部とを備えていてもよい。
【００２２】
この場合、シャッタは、軸線方向に延びるシャッタ軸部を中心に回動可能に筐体に設けられ、当接部は、シャッタ軸部から延出し、その先端部がトレイ延出部の回動範囲内に配置されることが好ましい。
【００２３】
トレイが開位置から閉位置に回動される過程で、トレイ延出部を当接部の先端部に確実に当接させることができる。そのため、トレイの開位置から閉位置への移動に伴って、シャッタを規制位置から許容位置に良好に移動させることができる。
【００２４】
また、その好ましい構成に代えて、トレイ延出部に、トレイ延出部の延出方向に長手の長孔がトレイ延出部を軸線方向に貫通して形成され、シャッタは、軸線方向に延びるシャッタ軸部を中心に回動可能に筐体に設けられ、シャッタ軸部から延出するシャッタ延出部と、シャッタ延出部から軸線方向に突出し、長孔に挿通された連結軸部とを備える構成が採用されてもよい。
【００２５】
この構成では、付勢部材を用いずに、シャッタを規制位置と許容位置との間で回動させることができる。
【００２６】
画像読取装置は、第１搬送ローラと第２搬送ローラと、を備え、第２媒体を第２搬送路において搬送方向の一方側から他方側に向けて搬送するように構成される第２搬送ローラと、第１媒体を第１搬送路において搬送方向の一方側から他方側に向けて搬送するように構成される第１搬送ローラとを備えていてもよい。筐体における搬送方向の他方側の面には、第１媒体が排出されるように構成される第１媒体排出口が形成され、第２導入口は、搬送方向において第２搬送ローラに対し、筐体における搬送方向の一方側の面に形成されており、トレイの回動軸線は、搬送方向に直交し、搬送方向において第１搬送ローラに対し、筐体における前記搬送方向の前記一方側に位置し、筐体における搬送方向の他方側の面には、第２導入口から導入された第２媒体を排出するための筐体側排出口が形成され、第１媒体排出口は、トレイの回動軸線の軸線方向において、筐体側排出口の一部と重複していてもよい。
【００２７】
この構成では、トレイには、トレイが閉位置に位置する状態で筐体側排出口と搬送方向に重なり合うトレイ側排出口が形成され、トレイは、トレイが閉位置に位置する状態で第１媒体排出口における筐体側排出口と重複する領域以外の領域と搬送方向において重なり合うことが好ましい。
【００２８】
この場合、トレイが閉位置に位置する状態で、そのトレイにより、第１媒体排出口における筐体側排出口と重複する領域以外の領域を塞ぐことができる。その一方で、トレイが筐体側排出口からの第２媒体の排出の妨げになることを抑制できる。そのため、第２媒体を筐体外に良好に排出させることができる。
【００２９】
画像読取装置は、筐体の上面に設けられ、各種の情報を表示し、各種操作を受け付けるように構成される表示操作部と、トレイが閉位置に位置する状態において、表示部の表示の向きを反転させるように構成される表示制御部とを備えていてもよい。
【００３０】
また、画像読取装置は、筐体の上面に設けられ、各種の情報を表示する表示部と、画像読取装置の向きに応じて、表示部の表示の向きを回転させる表示制御部とを備えていてもよい。
【００３１】
表示部の表示の向きが画像読取装置の向きに応じて回転されるので、画像読取装置の向きがどのような向きであっても、表示部の表示を良好に読み取ることができる。
【００３２】
表示制御部は、画像読取装置が９０°回転されると、表示部の向きを９０°回転させるとよい。
【００３３】
この構成によれば、画像読取装置の向きに応じて、表示部の表示の向きを回転させることができる。
【００３４】
本発明の他の局面に係る搬送装置は、第１媒体が導入されるように構成される第１導入口と、前記第１導入口から導入される前記第１媒体が搬送されるように構成される第１搬送路と、前記第１媒体よりも幅狭の第２媒体が導入されるように構成される第２導入口と、前記第２導入口から導入される前記第２媒体が搬送されるように構成される第２搬送路と、が形成された筐体と、前記筐体に対して開いた開位置と閉じた閉位置との間で回動可能に設けられ、第１媒体が載置されるように構成されるトレイと、前記トレイが前記開位置に位置するときに、規制位置に位置して、前記第２導入口への前記第２媒体の導入を規制し、前記トレイが前記閉位置に位置するときに、許容位置に位置して、前記第２導入口への前記第２媒体の導入を許容するように構成されるシャッタと、を備える。
【００３５】
これにより、第２媒体が第２導入口に導入されるときには、トレイが閉位置に配置される。そのため、トレイが第２導入口へ第２媒体が導入されることに対する妨げになる可能性を低減できる。その結果、第２導入口に容易に第２媒体を導入することができる。
【００３６】
また、本発明のさらに他の局面に係る画像読取装置は、第１媒体が導入されるように構成される第１導入口と、前記第１導入口から導入される前記第１媒体が搬送されるように構成される第１搬送路と、前記第１媒体よりも幅狭の第２媒体が導入されるように構成される第２導入口と、前記第２導入口から導入される前記第２媒体が搬送されるように構成される第２搬送路と、が形成された筐体と、軸線方向に延びるトレイ軸部を中心に回動可能に設けられ、前記トレイ軸部から前記筐体の外部に延出し、第１媒体が載置されるように構成されるトレイ本体と、前記トレイ軸部から前記筐体の内部に延出するトレイ延出部とを備え、前記筐体に対して開いた開位置と閉じた閉位置との間で回動可能に設けられるトレイと、弾性部材と、前記軸線方向に延びるシャッタ軸部から延出し、その先端部が前記トレイ延出部の回動範囲内に配置され、前記トレイが前記閉位置に位置するときに、前記トレイと当接する当接部と、前記シャッタ軸部から延出し、第１位置に位置する場合に、前記第２媒体の搬送方向において前記第２導入口と重なる位置に位置し、第２位置に位置する場合に、前記第２媒体の搬送方向において前記第２導入口から外れる位置に位置する変位部と、を備え、前記弾性部材により前記変位部が前記第２位置から前記第１位置に変位する方向に付勢力を受けつつ、前記シャッタ軸部を中心に回動可能に前記筐体に設けられるシャッタと、前記第１搬送路を搬送される前記第１媒体および前記第２搬送路を搬送される前記第２媒体の画像を読み取るように構成される読取部と、を備える。
【００３７】
トレイは、筐体に対して開いた開位置と閉じた閉位置との間で回動可能に設けられている。トレイは、軸線方向に延びるトレイ軸部を中心に回動可能に設けられ、トレイ軸部から筐体の外部に延出するトレイ本体と、トレイ軸部から筐体の内部に延出するトレイ延出部とを備えている。
【００３８】
シャッタは、軸線方向に延びるシャッタ軸部を中心に回動可能に筐体に設けられている。シャッタは、当接部および変位部を備えている。当接部は、シャッタ軸部から延出し、その先端部がトレイ延出部の回動範囲内に配置され、トレイが閉位置に位置するときに、トレイと当接する。変位部は、シャッタ軸部から延出し、第１位置に位置する場合に、第２媒体の搬送方向において第２導入口と重なる位置に位置し、第２位置に位置する場合に、第２媒体の搬送方向において第２導入口から外れる位置に位置する。そして、シャッタは、弾性部材により、変位部が第２位置から第１位置に変位する方向に付勢力を受ける。
【００３９】
これにより、トレイが開位置から閉位置に回動される過程で、トレイ延出部によって当接部が押圧されて、弾性部材の付勢力に抗して、シャッタの変位部が第１位置から第２位置に移動する。また、トレイが閉位置から開位置に回動される過程で、トレイ延出部が当接部から離間し、付勢部材の付勢力により、シャッタの変位部が第２位置から第１位置に移動する。
【００４０】
これにより、第２媒体が第２導入口に導入されるときには、トレイが閉位置に配置される。そのため、トレイが第２導入口へ第２媒体が導入されることに対する妨げにならない。その結果、第２導入口に容易に第２媒体を導入することができる。
【発明の効果】
【００４１】
本発明によれば、第２媒体が第２導入口に導入されるときには、トレイが閉位置に配置されるので、トレイが第２導入口へ第２媒体が導入されることに対する妨げになる可能性を低減できる。その結果、第２導入口に容易に第２媒体を導入することができる。
【図面の簡単な説明】
【００４２】
【図１Ａ】図１Ａは、本発明の一実施形態に係る画像読取装置１の左前上方から見た斜視図であり、カバー３が閉じられた状態を示す。
【図１Ｂ】図１Ｂは、本発明の一実施形態に係る画像読取装置１の右後上方から見た斜視図であり、カバー３が閉じられた状態を示す。
【図２】図２は、画像読取装置１の右前上方から見た斜視図であり、カバー３が開かれた状態を示す。
【図３】図３は、画像読取装置１の平面図であり、カバー３が開かれるとともに、上部筐体１４がメンテナンス位置に配置された状態を示す。
【図４Ａ】図４Ａは、画像読取装置１の断面図であり、シャッタ４が規制位置に位置する状態を示す。
【図４Ｂ】図４Ｂは、画像読取装置１の断面図であり、シャッタ４が許容位置に位置する状態を示す。
【図５】図５は、画像読取装置１の電気的構成の要部を示すブロック図である。
【図６】図６は、表示切替制御の流れを示すフローチャートである。
【図７】図７は、他の表示切替制御の流れを示すフローチャートである。
【図８Ａ】図８Ａは、シャッタ４を回動させるための他の構成が採用された画像読取装置１の断面図であり、シャッタ４が規制位置に位置する状態を示す。
【図８Ｂ】図８Ｂは、シャッタ４を回動させるための他の構成が採用された画像読取装置１の断面図であり、シャッタ４が許容位置に位置する状態を示す。
【図９Ａ】図９Ａは、表示器１４１に前後反転案内表示が表示されている状態の画像読取装置１であり、表示器１４１近傍の平面図を示す。
【図９Ｂ】図９Ｂは、表示器１４１に９０°回転案内表示が表示されている状態の画像読取装置１であり、表示器１４１近傍の平面図を示す。
【図１０】図１０は、シート排出口２０２とカード排出口１２３とが少なくとも一部において重複していることを概略的に示すための説明図である。
【発明を実施するための形態】
【００４３】
以下では、本発明の実施の形態について、添付図面を参照しつつ詳細に説明する。画像読取装置１は、本発明の画像読取装置および搬送装置の具体的態様の一例である。図１Ａでは、前カバー２２側を装置の前側と規定し、前カバー２２に対向した場合に左手に来る側を左側と規定して、前後、左右および上下の各方向を表示する。そして、図１Ｂ以降に示す各方向は、全て図１Ａに示す各方向に対応させて表示する。以下、図１Ａ等に基づいて、画像読取装置１が備える各構成要素について説明する。
【００４４】
＜外観＞
【００４５】
画像読取装置１は、筐体２およびカバー３を備えている。
【００４６】
＜筐体＞
【００４７】
筐体２は、左側板部１１、右側板部１２、下部筐体１３および上部筐体１４を備えている。
【００４８】
左側板部１１および右側板部１２は、左右方向に間隔を空けて配置されている。
【００４９】
下部筐体１３および上部筐体１４は、左側板部１１と右側板部１２との間に配置されている。
【００５０】
下部筐体１３は、左側板部１１および右側板部１２に対して固定されている。
【００５１】
上部筐体１４の左前下端部および右前下端部には、非図示の軸部がそれぞれ左側および右側に突出して形成されている。そして、左右の軸部がそれぞれ左側板部１１および右側板部１２に回動可能に支持されることにより、上部筐体１４は、図２に示される通常位置と図３に示されるメンテナンス位置との間で回動可能に設けられている。
【００５２】
上部筐体１４は、図２に示されるように、通常位置で、下部筐体１３に上方から重なる。通常位置に位置する上部筐体１４の上面１４Ｕは、左側板部１１および右側板部１２の各上面１１Ｕ，１２Ｕよりも一段低い位置に位置する。また、通常位置に位置する上部筐体１４の前面１４Ｆは、左側板部１１および右側板部１２の各前面１１Ｆ，１２Ｆよりも後側に位置する。
【００５３】
また、上部筐体１４は、メンテナンス位置で、下部筐体１３に対して前側に展開して、下部筐体１３の前端部上から前上方に延びる。
【００５４】
＜カバー＞
【００５５】
トレイ本体の一例としてのカバー３は、上カバー２１および前カバー２２を備えている。
【００５６】
上カバー２１は、図４Ａおよび図４Ｂに示されるように、本体部２１Ｍおよび基端部２１Ｂを有している。基端部２１Ｂの左右方向と直交する方向の一端部は、本体部２１Ｍに軸２１Ｘを中心に回動可能に連結されている。一方、基端部２１Ｂの他端部は、筐体２の左側板部１１および右側板部１２の後上端部にトレイ軸部２１Ｓを中心に回動可能に支持されている。これにより、上カバー２１は、図１Ｂに示される閉位置と図２に示される開位置との間で変位可能に設けられている。
【００５７】
上カバー２１が閉位置に位置する状態で、図４Ｂに示されるように、基端部２１Ｂが上方に起立し、本体部２１Ｍが下部筐体１３および上部筐体１４に上方から重なる。  
【００５８】
また、上カバー２１が開位置に位置する状態で、図４Ａに示されるように、基端部２１Ｂが筐体２の後上端部から後上方に延び、本体部２１Ｍが基端部２１Ｂと略平行に延びる。
【００５９】
前カバー２２は、図１Ａに示される屈曲位置と図２に示される伸張位置との間で回動可能に設けられている。
【００６０】
また、前カバー２２は、伸張位置で、上カバー２１と略同一平面上を延びる。
【００６１】
上カバー２１が開位置に位置し、前カバー２２が伸張位置に位置する状態で、上カバー２１および前カバー２２は、図２に示されるように、筐体２の後上端部から後上方に延び、筐体２内に送り込まれる第１媒体の一例としてのシートＳＨが載置されるトレイ２０の開位置をなす。一方、上カバー２１が閉位置に位置し、前カバー２２が屈曲位置に位置する状態で、上カバー２１および前カバー２２は、トレイ２０の閉位置をなす。
【００６２】
これにより、画像読取装置１は、筐体２に対して開いた開位置と閉じた閉位置との間で回動可能に設けられ、第１媒体の一例としてのシートＳＨが載置されるように構成されるトレイ２０を備えている。
【００６３】
下部筐体１３の後端縁３１は、下部筐体１３の前端縁３２とほぼ同じ高さに位置している。下部筐体１３は、図３、図４Ａおよび図４Ｂに示されるように、傾斜部３３と、平坦部３４とを有している。傾斜部３３は、後端縁３１から前端縁３２と同じ高さの位置まで前下方に延びる。平坦部３４は、前端縁３２とほぼ同じ高さの位置で、傾斜部３３から前端縁３２まで延びる。
【００６４】
上部筐体１４の下面１４Ｂの後端縁７１は、図２に示されるように、下部筐体１３の傾斜部３３の上方に間隔を空けて位置する。下面１４Ｂの前端縁７２は、下部筐体１３の上面１３Ｕの前端縁３２の上方に間隔を空けて位置する。上部筐体１４は、図３および図４に示されるように、傾斜部７３と、平坦部７４とを有している。傾斜部７３は、後端縁７１から前端縁７２と同じ高さの位置まで、傾斜部３３と平行をなして前下方に延びる。平坦部３４は、前端縁７２と同じ高さの位置で、傾斜部７３から前端縁７２まで下部筐体１３の平坦部３４と平行をなして延びる。
【００６５】
シート導入口２０１とシート排出口２０２とシート搬送路２０３とが、上部筐体１４と下部筐体１３との間に形成されている。シート導入口２０１は、第１導入口の一例である。シート排出口２０２は、第１媒体排出口の一例である。シート搬送路２０３は、第１搬送路の一例である。シート導入口２０１は、上部筐体１４の後端縁７１と下部筐体１３の傾斜部３３との間に形成され、後上方に開放されている。シート排出口２０２は、上部筐体１４の前端縁７２と下部筐体１３の前端縁３２との間に形成され、前方に開放されている。シート搬送路２０３は、シート導入口２０１とシート排出口２０２とを連結している。シート搬送路２０３は、上部筐体１４の傾斜部７３と下部筐体１３の傾斜部３３との間の空間、および上部筐体１４の平坦部７４と下部筐体１３の平坦部３４との間の空間である。シート導入口２０１から導入されたシートＳＨは、筐体２内のシート搬送路２０３を通過する。以下、このシートＳＨの流れに沿って、画像読取装置１が備える各構成の説明を行う。
【００６６】
画像読取装置１は、供給ローラ４１、分離片８１、ＬＦローラ４２、ＬＦピンチローラ８２、カードＬＦローラ４３、カードＬＦピンチローラ８３、第１読取部１００、第２読取部６０、排出ローラ４４、排出ピンチローラ８４、カード排出ローラ４５およびカード排出ピンチローラ８５を備えている。
【００６７】
供給ローラ４１は、図３に示されるように、２つのローラを備える。供給ローラ４１の２つのローラは回転軸５１に取り付けられている。供給ローラ４１は、傾斜部３３の左右方向の中央部に、配置されている。回転軸５１は、下部筐体１３の内部で左右方向に延び、下部筐体１３に回転可能に保持されている。
【００６８】
分離片８１は、たとえば、ゴムからなる。分離片８１の基端部は、上部筐体１４に取り付けられている。分離片８１は、供給ローラ４１の周面に弾性的に当接している。分離片８１と供給ローラ４１とにより、複数枚のシートＳＨが一枚に分離されて、搬送され得る。シートＳＨは、前方に向けて搬送される。したがって、本実施形態において、前方がシート搬送方向における下流側であり、後方がシート搬送方向における上流側である
【００６９】
ＬＦローラ４２およびＬＦピンチローラ８２は、供給ローラ４１および分離片８１のシート搬送方向下流側に位置する。ＬＦローラ４２は、２つのローラを備える。ＬＦローラ４２の２つのローラは回転軸５３に取り付けられている。ＬＦピンチローラ８２は、２つのピンチローラを備える。ＬＦピンチローラ８２の２つのピンチローラは、回転軸９１に取り付けられている。ＬＦピンチローラ８２の周面は、図４に示されるように、ＬＦローラ４２の周面に上方から当接している。ＬＦローラ４２が回転駆動されると、ＬＦピンチローラ８２がＬＦローラ４２に従動して回転される。
【００７０】
カードＬＦローラ４３は、ＬＦローラ４２の右側に間隔を空けた位置に配置されている。カードＬＦローラ４３は、ＬＦローラ４２と共通の回転軸５３に取り付けられている。カードＬＦピンチローラ８３は、ＬＦピンチローラ８２の右側に間隔を空けた位置に配置されている。カードＬＦピンチローラ８３は、図３に示されるように、２つのピンチローラを備える。カードＬＦピンチローラ８３の２つのピンチローラは、回転軸９３に取り付けられている。カードＬＦピンチローラ８３の２つのピンチローラの周面は、図４に示されるように、それぞれ下部筐体１３のカードＬＦローラ４３の周面の左側および右側に微小な間隔を空けて隣接する。
【００７１】
また、画像読取装置１は、図４に示されるように、ＬＦローラ４２およびＬＦピンチローラ８２のシート搬送方向下流側において、第１読取部１００および第２読取部６０を備える。第１読取部１００は、Contact Image Sensor(以後、「ＣＩＳ」と記す）ホルダ１０１、ＣＩＳユニット１０２およびコンタクトガラス１０３を備えている。第２読取部６０は、ＣＩＳホルダ６１、ＣＩＳユニット６２、およびコンタクトガラス６３を備える。
【００７２】
読取部の一例としてのＣＩＳユニット６２は、ＣＩＳホルダ６１内に収容されている。ＣＩＳユニット６２の内部には、たとえば、ＬＥＤ光源、レンズおよびイメージセンサが設けられている。読取部の一例としてのＣＩＳユニット１０２は、ＣＩＳホルダ１０１内に収容されている。ＣＩＳユニット１０２の内部には、たとえば、ＬＥＤ光源、レンズおよびイメージセンサが設けられている。
【００７３】
コンタクトガラス６３は、無色透明のガラスからなる。コンタクトガラス６３は、ＣＩＳホルダ６１の上面を閉塞するように設けられて、ＣＩＳホルダ６１に保持されている。コンタクトガラス１０３は、無色透明のガラスからなる。コンタクトガラス１０３は、ＣＩＳホルダ１０１の下面を閉塞するように設けられて、ＣＩＳホルダ１０１に保持されている。
【００７４】
ＣＩＳホルダ６１は、ＣＩＳユニット６２およびコンタクトガラス６３を保持した状態で、下部筐体１３の平坦部３４に形成された開口６４に嵌められている。ＣＩＳホルダ１０１は、ＣＩＳユニット１０２およびコンタクトガラス１０３を保持した状態で、上部筐体１４の平坦部７４に形成された開口１０４に嵌められている。
【００７５】
ＬＦローラ４２およびＬＦピンチローラ８２により搬送されるシートＳＨの両面の画像は、第１読取部１００および第２読取部６０により読み取られる。
【００７６】
排出ローラ４４および排出ピンチローラ８４は、ＣＩＳユニット１０２およびＣＩＳユニット６２のシート搬送方向下流側に位置する。排出ローラ４４は、２つのローラを備える。排出ローラ４４の２つのピンチローラは、回転軸５６に取り付けられている。排出ピンチローラ８４は、２つのピンチローラを備える。排出ピンチローラ８４の２つのピンチローラは、回転軸９４に取り付けられている。排出ピンチローラ８４の周面は、図４に示されるように、排出ローラ４４の周面に上方から当接している。排出ローラ４４が回転駆動されると、排出ピンチローラ８４が排出ローラ４４に従動して回転される。
【００７７】
カード排出ローラ４５およびカード排出ピンチローラ８５は、ＣＩＳユニット１０２およびＣＩＳユニット６２のシート搬送方向下流側に位置する。カード排出ローラ４５は、２つのローラを備える。カード排出ローラ４５の２つのローラは、回転軸５６に取り付けられている。カード排出ピンチローラ８５は、２つのピンチローラを備える。カード排出ピンチローラ８５の２つのピンチローラは、回転軸９４に取り付けられている。カード排出ピンチローラ８５の周面は、図４に示されるように、カード排出ローラ４５の周面に上方から当接している。カード排出ローラ４５が回転駆動されると、カード排出ピンチローラ８５は、カード排出ローラ４５に従動して回転される。
【００７８】
＜シート画像の読み取り＞
【００７９】
画像読取装置１におけるシートＳＨの画像の読み取りの際には、図２および図４Ａに示されるように、上カバー２１が開位置に配置されるとともに、前カバー２２が伸張位置に配置される。そして、その上カバー２１および前カバー２２からなる開位置のトレイ２０上に、シートＳＨが載置される。
【００８０】
トレイ２０上に載置されるシートＳＨは、その先端部が供給ローラ４１および分離片８１に当接するまで、シート導入口２０１内に差し込まれる。
【００８１】
その後、供給ローラ４１が右側から見て反時計回りに回転される。この供給ローラ４１の回転により、供給ローラ４１の周面からシートＳＨの下面に搬送力が付与され、シートＳＨがＬＦローラ４２，８２に向けて搬送される。シートＳＨの先端部が供給ローラ４１と分離片８１との間に挟まれたときに、シートＳＨが１枚ずつに分離され、１枚のシートＳＨのみが供給ローラ４１と分離片８１との間を通過する。
【００８２】
ＬＦローラ４２およびカードＬＦローラ４３は、右側から見て反時計回りに回転される。ＬＦピンチローラ８２およびカードＬＦピンチローラ８３は、右側から見て時計回りに回転する。供給ローラ４１と分離片８１との間を通過したシートＳＨの先端部がＬＦローラ４２およびカードＬＦローラ４３に到達すると、ＬＦローラ４２およびカードＬＦローラ４３により、シートＳＨに搬送力が付与される。
【００８３】
ＬＦローラ４２とＬＦピンチローラ８２との間およびカードＬＦローラ４３とカードＬＦピンチローラ８３との間を通過したシートＳＨは、コンタクトガラス６３，１０３上を通過する。このとき、コンタクトガラス６３，１０３上のシートＳＨにそれぞれＣＩＳユニット６２，１０２のＬＥＤ光源から光が照射される。そして、シートＳＨでの反射光がＣＩＳユニット６２，１０２のイメージセンサに受けられることにより、シートＳＨの両面に描かれている画像の読み取りが達成される。
【００８４】
排出ローラ４４およびカード排出ローラ４５は、右側から見て反時計回りに回転される。排出ピンチローラ８４およびカード排出ピンチローラ８５は、右側から見て時計回りに回転する。コンタクトガラス６３，１０３上を通過したシートＳＨの先端部が排出ローラ４４およびカード排出ローラ４５に到達すると、排出ローラ４４およびカード排出ローラ４５からシートＳＨに搬送力が付与される。
【００８５】
排出ローラ４４と排出ピンチローラ８４との間およびカード排出ローラ４５とカード排出ピンチローラ８５と間を搬送されるシートＳＨは、シート排出口２０２を通過して、筐体２外に排出される。
【００８６】
＜カード画像の読み取り＞
【００８７】
画像読取装置１では、シートＳＨよりも幅狭のカードＣＡに描かれている画像を読み取ることができる。カードＣＡは、第２媒体の一例である。
【００８８】
カードＣＡの画像の読み取りのために、図１Ｂに示されるように、第２導入口の一例としてのカード導入口１２１が下部筐体１３に形成されている。カード導入口１２１は、下部筐体１３の後面１３ＲにおけるカードＬＦローラ４３，８３と前後方向に重なる位置に設けられている。カード導入口１２１は、左右方向に延びる長方形状をなしている。カード導入口１２１の左右方向の幅は、国際標準化機構（ＩＳＯ）／国際電気標準会議（ＩＥＣ）による国際規格ＩＤ−１のカードサイズの短辺の長さ（５３．９８ｍｍ）よりも少し大きく、そのカードサイズの長辺の長さ（８５．６０ｍｍ）よりも小さい。
【００８９】
下部筐体１３の上面１３Ｕの平坦部３４と上部筐体１４の下面１４Ｂの平坦部７４との間および下部筐体１３における上面１３Ｕの傾斜部３３の下方に、第２搬送路の一例としてのカード搬送路１２５が形成されている。カード搬送路１２５は、下部筐体１３の上面１３Ｕの平坦部３４と上部筐体１４の下面１４Ｂの平坦部７４との間の空間および下部筐体１３における上面１３Ｕの傾斜部３３の下方の空間である。
【００９０】
前述の通り、下部筐体１３の後端縁３１は、下部筐体１３の前端縁３２とほぼ同じ高さに位置している。そして、カード搬送路１２５は、後端縁３１から前端縁３２へ延びている。そのため、カードＣＡの搬送方向は、画像読取装置１が水平面上に設置された状態で、略水平方向となる。
【００９１】
図３、図４Ａおよび図４Ｂに示されるように、カード通過口１２２が下部筐体１３の傾斜部３３の右下端部、具体的には、傾斜部３３におけるカード導入口１２１と前後方向に重なる部分に形成されている。カード通過口１２２は、下部筐体１３の傾斜部３３の前下端部と平坦部３４との間に形成されている。カード通過口１２２は、平坦部３４と平坦部７４との間の空間と傾斜部３３の下方の空間とを結ぶ。従って、カード通過口１２２を通して、カードＣＡは、傾斜部３３の下方の空間から平坦部３４と平坦部７４との間の空間へ移動することができる。
【００９２】
図１０に示すように、シート排出口２０２におけるカード排出ローラ４５およびカード排出ピンチローラ８５と前後方向に重なる部分にカード排出口１２３が形成されている。カード排出口１２３は、上部筐体１４の前端縁７２と下部筐体１３の前端縁３２との間に形成され、前方に開放されている。カード排出口１２３の下側の一部が、シート排出口２０２の右側の一部と重複している。すなわち、シートＳＨおよびカードＣＡの両方が、この重複領域ＯＬを通過可能である。図１Ａに示すようなトレイ２０が閉位置に位置する状態では、トレイ２０により、シート排出口２０２におけるカード排出口１２３と重複する領域以外の領域が閉塞される。前カバー２２には、トレイ２０が閉位置に位置する状態で筐体側排出口の一例としてのカード排出口１２３と前後方向に重なる位置に、トレイ側排出口１２４が形成されている。従って、図４Ｂに示すように、トレイ２０が閉位置に位置する状態では、トレイ側排出口１２４は、カード排出口１２３の前方に位置する。トレイ側排出口１２４は、カード排出口１２３と同サイズ以上のサイズを有する略矩形状をなしている。そのため、トレイ２０が閉位置に位置する状態で、トレイ２０により、カード排出口１２３は閉塞されない。
【００９３】
カードＣＡの画像の読み取りの際には、上カバー２１および前カバー２２からなるトレイ２０が閉位置に位置する状態で、カードＣＡの短辺を先頭として、カードＣＡがカード導入口１２１内に挿入される。挿入されたカードＣＡの先端は、カード通過口１２２を通過して、カードＬＦローラ４３とカードＬＦピンチローラ８３との間に到達する。カード導入口１２１内に挿入されたカードＣＡは、以下のようにして、カード搬送路１２５を搬送される。
【００９４】
カードＬＦローラ４３は、右側から見て反時計回りに回転される。カードＬＦピンチローラ８３は、カードＬＦローラ４３の回転に伴って、右側から見て時計回りに回転する。カード導入口１２１内に挿入されたカードＣＡの先端部がカードＬＦローラ４３およびカードＬＦピンチローラ８３の周面に当接すると、カードＬＦローラ４３からカードＣＡに搬送力が付与され、そのカードＣＡがカードＬＦローラ４３の周面の間に引き込まれる。
【００９５】
その後、カードＣＡは、第１読取部１００と第２読取部６０との間を通過する。このとき、コンタクトガラス６３，１０３上のカードＣＡにそれぞれＣＩＳユニット６２，１０２のＬＥＤ光源から光が照射される。そして、カードＣＡでの反射光がＣＩＳユニット６２，１０２のイメージセンサに受けられることにより、カードＣＡの両面に描かれている画像の読み取りが達成される。
【００９６】
カード排出ローラ４５は、右側から見て反時計回りに回転される。一方、カード排出ピンチローラ８５は、カード排出ローラ４５の回転に伴って、右側から見て時計回りに回転する。第１読取部１００と第２読取部６０との間を通過したカードＣＡの先端部がカード排出ローラ４５の周面の当接部分に到達すると、カード排出ローラ４５からカードＣＡに搬送力が付与され、そのカードＣＡがカード排出ローラ４５とカード排出ピンチローラ８５との周面の間に引き込まれる。
【００９７】
カード排出口１２３から、カードＣＡが排出されるトレイ２０が閉位置に位置する状態において、図４Ｂに示すようにトレイ側排出口１２４がカード排出口１２３の前方に位置する。従って、カード排出口１２３を通過したカードＣＡは、トレイ側排出口１２４を通過して筐体２外に排出される。このようにして、カードＣＡは、カード排出口１２３およびトレイ側排出口１２４を通過して、筐体２外に排出される。
【００９８】
言い換えれば、第２導入口の一例としてのカード導入口１２１は、前後方向において第２搬送ローラの一例としてのカードＬＦローラ４３およびカードＬＦピンチローラ８３に対し、筐体２の後面２Ｒに形成されており、トレイ２０の回動軸線は、前後方向に直交し、前後方向において第１搬送ローラの一例としてのＬＦローラ４２およびＬＦピンチローラ８２に対し、筐体２における後側に位置し、筐体２の前面には、カード導入口１２１から導入されたカードＣＡを排出するための筐体側排出口の一例としてのカード排出口１２３が形成され、シート排出口２０２は、トレイ２０の回動軸線の軸線方向である左右方向において、カード排出口１２３の一部と重複している。
【００９９】
＜シャッタ＞
【０１００】
画像読取装置１は、シャッタ４を備えている。
【０１０１】
シャッタ４は、上部筐体１４の右後端部に、左右方向に延びるシャッタ軸部１３１を中心に回動可能に設けられている。シャッタ４は、当接部１３２および変位部１３３を備えている。
【０１０２】
当接部１３２は、シャッタ軸部１３１からシャッタ軸部１３１と直交する方向に延出している。
【０１０３】
変位部１３３は、シャッタ軸部１３１からシャッタ軸部１３１と直交かつ当接部１３２と交差する方向に延出している。変位部１３３は、その延出の途中で約９０°屈曲した形状をなしている。
【０１０４】
シャッタ４は、図４Ａに示される規制位置と図４Ｂに示される許容位置との間で回動可能に設けられている。シャッタ４が規制位置に位置する状態において、カード導入口１２１とカード通過口１２２との間で、変位部１３３の先端部１３４がカード導入口１２１と前後方向に重なる。シャッタ４が許容位置に位置する状態において、変位部１３３の先端部１３４がカード導入口１２１と前後方向に重なる位置から上方に外れる。
【０１０５】
また、画像読取装置１は、付勢部材の一例としてのコイルばね１３５を備えている。
【０１０６】
コイルばね１３５は、シャッタ軸部１３１に巻回されている。コイルばね１３５の一端部１３６は、上部筐体１４に取り付けられている。コイルばね１３５の他端部１３７は、変位部１３３に取り付けられている。シャッタ４は、コイルばね１３５の弾性力により、許容位置から規制位置に向けて付勢されている。
【０１０７】
すなわち、画像読取装置１は、シャッタ４を許容位置から規制位置に向けて付勢する付勢部材の一例としてのコイルばね１３５を備えている。
【０１０８】
トレイ２０の一部を構成する上カバー２１は、トレイ延出部１３８を備えている。トレイ延出部１３８は、上カバー２１の基端部２１Ｂからシャッタ４に向けて延出している。上カバー２１の基端部２１Ｂの回動に伴って、トレイ延出部１３８は、トレイ軸部２１Ｓを中心に回動する。当接部１３２の先端部１３９は、トレイ延出部１３８の回動範囲ＲＲ内に配置されている。
【０１０９】
すなわち、画像読取装置１は、軸線方向の一例としての左右方向に延びるトレイ軸部２１Ｓを中心に回動可能に設けられ、トレイ軸部２１Ｓから筐体２の外部に延出し、第１媒体の一例としてのシートＳＨが載置されるトレイ本体の一例としての上カバー２１と、トレイ軸部２１Ｓから筐体２の内部に延出するトレイ延出部１３８とを備え、筐体２に対して開いた開位置と閉じた閉位置との間で回動可能に設けられるトレイ２０を備えている。
【０１１０】
トレイ２０が開位置に位置する状態では、図４Ａに示されるように、トレイ延出部１３８は、トレイ軸部２１Ｓの前下方に延び、シャッタ４の当接部１３２に対して上方に離間している。この状態では、シャッタ４が規制位置に位置し、変位部１３３の先端部１３４がカード導入口１２１と前後方向に重なっている。そのため、カード導入口１２１からカードＣＡを導入することが規制される。
【０１１１】
トレイ２０が開位置から閉位置に回動されると、その回動に伴って、上カバー２１の基端部２１Ｂおよびトレイ延出部１３８がトレイ軸部２１Ｓを中心に回動する。シャッタ４の当接部１３２の先端部１３９がトレイ延出部１３８の回動範囲ＲＲ内に配置されているため、トレイ延出部１３８は、その回動の途中で、先端部１３９に当接する。トレイ延出部１３８が当接部１３２の先端部１３９に当接した後、トレイ延出部１３８がさらに回動すると、トレイ延出部１３８から当接部１３２の先端部１３９に押圧力が加えられる。この押圧力により、シャッタ４がコイルばね１３５の弾性力に抗してシャッタ軸部１３１を中心に回動する。その結果、変位部１３３の先端部１３４が上方に持ち上がり、シャッタ４が許容位置に変位する。
【０１１２】
また、トレイ２０が閉位置から開位置に回動されると、その回動に伴って、上カバー２１の基端部２１Ｂおよびトレイ延出部１３８がトレイ軸部２１Ｓを中心に回動する。トレイ延出部１３８は、その回動の途中で、シャッタ４の当接部１３２の先端部１３９から離間する。トレイ延出部１３８が当接部１３２の先端部１３９から離間すると、コイルばね１３５の弾性力により、シャッタ軸部１３１を中心に回動する。その結果、変位部１３３の先端部１３４が下方に移動し、シャッタ４が規制位置に位置する。
【０１１３】
すなわち、画像読取装置１は、トレイ２０が開位置に位置するときに、規制位置に位置して、第２導入口の一例としてのカード導入口１２１への第２媒体の一例としてのカードＣＡの導入を規制し、トレイ２０が閉位置に位置するときに、許容位置に位置して、カード導入口１２１へのカードＣＡの導入を許容するシャッタ４を備えている。シャッタ４は、軸線方向の一例としての左右方向に延びるシャッタ軸部１３１を中心に回動可能に筐体２に設けられている。そして、このシャッタ４は、トレイ２０が開位置から閉位置に回動される過程で、トレイ２０によって当接部１３２が押圧されて、付勢部材の一例としてのコイルばね１３５の付勢力に抗して、規制位置から許容位置に移動し、トレイ２０が閉位置から開位置に回動される過程で、トレイ２０が当接部１３２から離間し、コイルばね１３５の付勢力により、許容位置から規制位置に移動する。当接部１３２は、シャッタ軸部１３１から延出し、その先端部１３９がトレイ延出部１３８の回動範囲ＲＲ内に配置されている。
【０１１４】
言い換えれば、画像読取装置１は、軸線方向の一例としての左右方向に延びるシャッタ軸部１３１から延出し、その先端部がトレイ延出部１３８の回動範囲ＲＲ内に配置され、トレイ２０が閉位置に位置するときに、トレイ２０と当接する当接部１３２と、シャッタ軸部１３１から延出し、第１位置の一例としての規制位置に位置する場合に、第２媒体の一例としてのカードＣＡの搬送方向である前後方向において第２導入口の一例としてのカード導入口１２１と重なる位置に位置し、第２位置の一例としての許容位置に位置する場合に、前後方向においてカード導入口１２１から外れる位置に位置する変位部１３３と、を備え、弾性部材の一例としてのコイルばね１３５により変位部１３３が許容位置から規制位置に変位する方向に付勢力を受けつつ、左右方向に延びるシャッタ軸部１３１を中心に回動可能に筐体２に設けられるシャッタ４を備えている。
【０１１５】
＜表示器＞
【０１１６】
画像読取装置１は、表示操作部および表示部の一例としての表示器１４１を備えている。
【０１１７】
表示器１４１は、図２に示されるように、上部筐体１４の上面１４Ｕに配置されている。表示器１４１は、タッチパネル付の液晶表示器からなる。上カバー２１の本体部２１Ｍには、上カバー２１が閉位置に位置するときに表示器１４１と上下方向に重なる位置に、表示器１４１の外形とほぼ同じサイズの矩形状の開口１４２が形成されている。これにより、上カバー２１が開位置に位置する状態および閉位置に位置する状態のいずれの状態においても、表示器１４１を視認することができる。
【０１１８】
＜電気的構成＞
【０１１９】
画像読取装置１は、図５に示されるように、マイクロコンピュータを含む構成の表示制御部の一例としての制御部１５１を備えている。
【０１２０】
また、画像読取装置１は、トレイ２０の開閉を検出するトレイ開閉センサ１５２を備えている。トレイ開閉センサ１５２は、マイクロスイッチからなる。トレイ２０が閉位置に位置するときに、トレイ開閉センサ１５２からオン信号が出力される。一方、トレイ２０が開位置に位置するときには、トレイ開閉センサ１５２からオフ信号が出力される。
【０１２１】
さらに、画像読取装置１は、画像読取装置１の向きを検出するために、３軸加速度センサ１５３を備えている。
【０１２２】
トレイ開閉センサ１５２および３軸加速度センサ１５３から出力される信号は、制御部１５１に入力される。制御部１５１は、トレイ開閉センサ１５２および３軸加速度センサ１５３の出力信号に基づいて、非図示の表示制御回路を制御して、表示器１４１に表示される画像の向きを変更する。
【０１２３】
＜表示切替制御＞
【０１２４】
画像読取装置１の電源がオンされている間、制御部１５１により、図６に示される表示切替制御が繰り返される。
【０１２５】
表示切替制御では、まず、トレイ２０が開位置から閉位置に回動されたか否かが判断される（ステップＳ１）。具体的には、トレイ開閉センサ１５２の出力信号がオフ信号からオン信号に切り替わったか否かが調べられる。
【０１２６】
トレイ２０が開位置のままであるときには（ステップＳ１のＮＯ）、表示切替制御が終了される。
【０１２７】
トレイ２０が開位置から閉位置に回動されると、図９Ａに示すような筐体２の後面２Ｒが手前側に向くように画像読取装置１を１８０°回転させることを促す表示である前後反転案内表示が表示器１４１に出される（ステップＳ２）。
【０１２８】
その後、画像読取装置１が１８０°回転されたか否かが判断される（ステップＳ３）。
【０１２９】
画像読取装置１が１８０°回転されると（ステップＳ３のＹＥＳ）、表示器１４１の前後反転案内表示が消され、所定の通常画面が前後反転案内表示の向きと１８０°反転した向きで表示器１４１に表示される（ステップＳ４）。
【０１３０】
＜作用効果＞
【０１３１】
以上のように、シート導入口２０１、シート搬送路２０３、カード導入口１２１およびカード搬送路１２５が筐体２に形成されている。シートＳＨが、シート導入口２０１に導入される。シート導入口２０１から導入されたシートＳＨは、シート搬送路２０３を搬送される。カード導入口１２１には、シートＳＨよりも幅狭のカードＣＡが導入される。カード導入口１２１から導入されたカードＣＡは、カード搬送路１２５を、搬送される。シートＳＨおよびカードＣＡがそれぞれシート搬送路２０３およびカード搬送路１２５を搬送される途中で、ＣＩＳユニット６２，１０２により、シートＳＨおよびカードＣＡの画像が読み取られる。すなわち、シートＳＨが搬送される場合には、ＣＩＳユニット６２，１０２により、シートＳＨの画像が読み取られる。カードＣＡが搬送される場合には、ＣＩＳユニット６２，１０２により、カードＣＡの画像が読み取られる。
【０１３２】
トレイ２０は、筐体２に対して開いた開位置と閉じた閉位置との間で回動可能に設けられている。トレイ２０は、シートＳＨが載置される。
【０１３３】
そして、シャッタ４は、トレイ２０が開位置に位置するときに、規制位置に位置して、カード導入口１２１へのカードＣＡの導入を規制し、トレイ２０が閉位置に位置するときに、許容位置に位置して、カード導入口１２１へのカードＣＡの導入を許容する。
【０１３４】
これにより、カードＣＡがカード導入口１２１に導入されるときには、トレイ２０が閉位置に配置される。そのため、トレイ２０がカード導入口１２１へのカードＣＡの導入に対する妨げにならない。その結果、カード導入口１２１に容易にカードＣＡを導入することができる。
【０１３５】
トレイ２０が開いた状態でカードＣＡをカード導入口１２１から導入することができる構成では、ユーザにとって、どの状態でカードＣＡを読み取れるのかが判然とせず、トレイ２０を開いた状態でユーザがカードＣＡをカード導入口１２１に導入してしまう可能性がある。しかし、本実施形態では、トレイ２０が開いた状態でのカードＣＡのカード導入口１２１への導入がシャッタ４で抑制されるため、トレイ２０を閉じた状態でカードＣＡの読取ができ、トレイ２０が開いた状態でシートＳＨの読取ができることをユーザにより容易に認識させることができる。
【０１３６】
画像読取装置１は、シャッタ４を許容位置から規制位置に向けて付勢するコイルばね１３５を備える。
【０１３７】
コイルばね１３５がシャッタ４を付勢することにより、シャッタ４が許容位置から規制位置に移動される。そのため、カード導入口１２１にカードＣＡが導入されている状態で、トレイ２０が閉位置から開位置に移動されても、トレイ２０の開閉動作が直接シャッタ４の移動に変換される場合と比較して、シャッタ４がカードＣＡに強く当接することを抑制できる。その結果、カードＣＡがシャッタ４によって傷つけられることを抑制できる。
【０１３８】
シャッタ４は、当接部１３２を備えている。当接部１３２は、少なくともトレイ２０が閉位置に位置するときに、トレイ２０と当接する。
【０１３９】
トレイ２０が当接部１３２に当接することにより、コイルばね１３５の付勢力に抗して、シャッタ４を規制位置から許容位置に移動させることができる。
【０１４０】
具体的には、トレイ２０が開位置から閉位置に回動される過程で、トレイ２０によって当接部１３２が押圧されて、コイルばね１３５の付勢力に抗して、シャッタ４が規制位置から許容位置に移動する。また、トレイ２０が閉位置から開位置に回動される過程で、トレイ２０が当接部１３２から離間し、コイルばね１３５の付勢力により、許容位置から規制位置に移動する。
【０１４１】
これにより、トレイ２０の開位置と閉位置との間での移動に伴って、シャッタ４を規制位置と許容位置との間で移動させることができる。したがって、トレイ２０以外のシャッタ４を移動させるためのスイッチ等の部材を設ける必要なく、トレイ２０の開閉によって、シャッタ４を移動させることができる。
【０１４２】
トレイ２０は、軸線方向に延びるトレイ軸部２１Ｓを中心に回動可能に設けられ、トレイ軸部２１Ｓから筐体２の外部に延出するカバー３と、トレイ軸部２１Ｓから筐体の内部に延出するトレイ延出部１３８とを備えている。
【０１４３】
シャッタ４は、軸線方向に延びるシャッタ軸部１３１を中心に回動可能に筐体に設けられ、当接部１３２は、シャッタ軸部１３１から延出し、その先端部がトレイ延出部１３８の回動範囲ＲＲ内に配置されている。
【０１４４】
トレイ２０が開位置から閉位置に回動される過程で、トレイ延出部１３８を当接部１３２の先端部に確実に当接させることができる。そのため、トレイ２０の開位置から閉位置への移動に伴って、シャッタ４を規制位置から許容位置に良好に移動させることができる。
【０１４５】
また、トレイ２０が閉位置に位置する状態では、トレイ２０により、シート排出口２０２におけるカード排出口１２３と重複する領域以外の領域が閉塞される。トレイ２０には、トレイ２０が閉位置に位置する状態でカード排出口１２３と前後方向に重なる位置に、トレイ側排出口１２４が形成されている。そのため、トレイ２０が閉位置に位置する状態で、トレイ２０がカード排出口１２３からのカードＣＡの排出の妨げになることを抑制できる。そのため、カードＣＡを筐体２外に良好に排出させることができる。
【０１４６】
＜他の表示切替制御＞
【０１４７】
図６に示される表示切替制御に代えて、制御部１５１により、図７に示される表示切替制御が実行されてもよい。
【０１４８】
図７に示される表示切替制御では、まず、トレイ２０が開位置から閉位置に回動されたか否かが判断される（ステップＳ１１）。具体的には、トレイ開閉センサ１５２の出力信号がオフ信号からオン信号に切り替わったか否かが調べられる。
【０１４９】
トレイ２０が開位置のままであるときには（ステップＳ１１のＮＯ）、表示切替制御が終了される。
【０１５０】
トレイ２０が開位置から閉位置に回動されると、筐体２の後面２Ｒが右側に向くように画像読取装置１を９０°回転させることを促す表示である図９Ｂに示すような９０°回転案内表示が表示器１４１に出される（ステップＳ１２）。
【０１５１】
その後、画像読取装置１が９０°回転されたか否かが判断される（ステップＳ１３）。
【０１５２】
画像読取装置１が９０°回転されると（ステップＳ１３のＹＥＳ）、表示器１４１の前後反転案内表示が消され、所定の通常画面が前後反転案内表示の向きから９０°回転した向きで表示器１４１に表示される（ステップＳ１４）。
【０１５３】
この構成によれば、画像読取装置１の向きに応じて、表示器１４１の表示の向きが回転される。具体的には、画像読取装置１が９０°回転されると、表示器１４１の表示の向きが９０°回転される。そのため、画像読取装置１の向きがどのような向きであっても、表示器１４１の表示を良好に読み取ることができる。
【０１５４】
＜シャッタを回動させるための他の構成＞
【０１５５】
シャッタ４を規制位置と許容位置との間で回動させるために、図４Ａおよび図４Ｂに示される構成に代えて、図８Ａおよび図８Ｂに示される構成が採用されてもよい。
【０１５６】
図８Ａおよび図８Ｂに示される構成では、トレイ延出部１３８には、トレイ延出部１３８の延出方向に長手の長孔１６３がトレイ延出部１３８を左右方向に貫通して形成されている。シャッタ４は、左右方向に延びるシャッタ軸部１３１を中心に回動可能に筐体２に設けられ、シャッタ軸部１３１から延出するシャッタ延出部１６１と、シャッタ延出部１６１から左右方向に突出し、長孔１６３に挿通された連結軸部１６２とを備えている。
【０１５７】
以下、具体的に説明する。
【０１５８】
シャッタ４は、シャッタ軸部１３１から延出するシャッタ延出部１６１と、シャッタ延出部１６１の先端部から左方に突出する連結軸部１６２とを備えている。連結軸部１６２は、トレイ延出部１３８に形成された長孔１６３に挿通されている。長孔１６３は、トレイ延出部１３８を左右方向に貫通している。
【０１５９】
トレイ２０が開位置から閉位置に回動されると、その回動に伴って、上カバー２１の基端部２１Ｂおよびトレイ延出部１３８がトレイ軸部２１Ｓを中心に回動する。トレイ延出部１３８の回動に伴って、連結軸部１６２が長孔１６３内を移動する。連結軸部１６２の移動に伴って、シャッタ延出部１６１がシャッタ軸部１３１を中心に回動する。その結果、図８Ｂに示されるように、変位部１３３の先端部１３４が上方に持ち上がり、シャッタ４が許容位置に位置する。
【０１６０】
また、トレイ２０が閉位置から開位置に回動されると、その回動に伴って、上カバー２１の基端部２１Ｂおよびトレイ延出部１３８がトレイ軸部２１Ｓを中心に回動する。トレイ延出部１３８の回動に伴って、連結軸部１６２が長孔１６３内を移動する。連結軸部１６２の移動に伴って、シャッタ延出部１６１がシャッタ軸部１３１を中心に回動する。その結果、図８Ａに示されるように、変位部１３３の先端部１３４が下方に移動し、シャッタ４が規制位置に位置する。
【０１６１】
図８Ａおよび図８Ｂに示される構成では、コイルばね１３５を用いずに、シャッタ４を規制位置と許容位置との間で回動させることができる。
【０１６２】
＜変形例＞
【０１６３】
以上、本発明の実施の形態について説明したが、本発明は、さらに他の形態で実施することもできる。
【０１６４】
たとえば、画像読取装置１は、３軸加速度センサ１５３を備えているとした。これに代えて、画像読取装置１に人感センサが備えられ、画像読取装置１に対する使用者の位置を検知して、表示器１４１の表示画面がその使用者に見やすい向きで表示されてもよい。もちろん、画像読取装置１に３軸加速度センサ１５３および人感センサの両方が備えられてもよい。
【０１６５】
前述の実施形態において、カード排出口１２３は、シート排出口２０２におけるカード排出ローラ４５およびカード排出ピンチローラ８５と前後方向に重なる部分として形成されている。トレイ２０が閉位置に位置する状態では、トレイ２０により、シート排出口２０２におけるカード排出口１２３と重複する領域以外の領域が閉塞される。この場合、カード導入口１２１から導入されるカードＣＡは、カード搬送路１２５を後方へ搬送された後、カード排出口１２３へ排出される。
【０１６６】
しかし、これに限らず、たとえば、カード導入口１２１は、カードＣＡが排出されるカード排出口を兼ねており、カード導入口１２１から導入されるカードＣＡは、カード搬送路１２５を前方へ搬送された後、後方へ搬送されて、カード導入口１２１から排出されてもよい。この場合、カード導入口１２１は、トレイ２０が閉位置に位置される状態であっても、トレイ２０によって閉塞されない。また、トレイ２０によってトレイ側排出口１２４の領域が閉塞されていないので、カード導入口１２１から導入されたカードＣＡは、トレイ側排出口１２４からその先端部が頭出しされた状態で一時停止されてもよい。
【０１６７】
その他、前述の構成には、特許請求の範囲に記載された事項の範囲で種々の設計変更を施すことが可能である。
【符号の説明】
【０１６８】
１      画像読取装置
２      筐体
３      カバー
４      シャッタ
２０    トレイ
２１    上カバー
２１Ｓ  トレイ軸部
２２    前カバー
４２    ＬＦローラ
４３    カードＬＦローラ
６２    ＣＩＳユニット
８２    ＬＦローラ
８３    カードＬＦローラ
１０２  ＣＩＳユニット
１２１  カード導入口
１２３  カード排出口
１２４  トレイ側排出口
１２５  カード搬送路
１３１  シャッタ軸部
１３２  当接部
１３３  変位部
１３５  コイルばね
１３８  トレイ延出部
１３９  先端部
１４１  表示器
１５１  制御部
１６１  シャッタ延出部
１６２  連結軸部
１６３  長孔
２０１  シート導入口
２０２  シート排出口
２０３  シート搬送路
【図１Ａ】
2014072669.tif 000003
【図１Ｂ】
2014072669.tif 000004
【図２】
2014072669.tif 000005
【図３】
2014072669.tif 000006
【図４Ａ】
2014072669.tif 000007
【図４Ｂ】
2014072669.tif 000008
【図５】
2014072669.tif 000009
【図６】
2014072669.tif 000010
【図７】
2014072669.tif 000011
【図８Ａ】
2014072669.tif 000012
【図８Ｂ】
2014072669.tif 000013
【図９Ａ】
2014072669.tif 000014
【図９Ｂ】
2014072669.tif 000015
【図１０】
2014072669.tif 000016